(57)【要約】【課題】ＰＬＬ回路に対して、予め定められたループ帯域を精度よく設定できるキャリブレーション装置を提供する。【解決手段】ＰＬＬ回路の電圧制御発振器に入力される制御電圧に、ループ帯域のカットオフ周波数の周波数成分を含むキャリブレーション信号を重畳する信号重畳部と、電圧制御発振器が出力する発振信号のカットオフ周波数の周波数成分を測定する測定部と、キャリブレーション信号のカットオフ周波数成分の強度と、測定部が測定した周波数成分の強度とを比較する演算部と、演算部における比較結果に基づいて、ＰＬＬ回路に設けられたチャージポンプのゲインを調整する調整部とを備えるキャリブレーション装置を提供する。【選択図】図１
2008028765.tif 000002
【特許請求の範囲】
【請求項１】
ＰＬＬ回路に対して、予め定められたループ帯域を設定するキャリブレーション装置であって、
前記ＰＬＬ回路の電圧制御発振器に入力される制御電圧に、前記ループ帯域のカットオフ周波数の周波数成分を含むキャリブレーション信号を、前記制御電圧を出力するループフィルタを介して重畳する信号重畳部と、
前記電圧制御発振器が出力する発振信号の前記カットオフ周波数の周波数成分を測定する測定部と、
前記キャリブレーション信号の前記カットオフ周波数成分の強度と、前記測定部が測定した周波数成分の強度とを比較する演算部と、
前記演算部における比較結果に基づいて、前記ＰＬＬ回路に設けられたチャージポンプのゲインを調整する調整部と
を備えるキャリブレーション装置。
【請求項２】
前記演算部は、前記キャリブレーション信号の前記カットオフ周波数成分と、前記測定部が測定した周波数成分との強度の比を算出し、
前記調整部は、前記強度の比が所定の値となるように、前記チャージポンプのゲインを調整する
請求項１に記載のキャリブレーション装置。
【請求項３】
前記ＰＬＬ回路に設けられた前記チャージポンプは、前記ＰＬＬ回路に設けられる位相比較器の出力に応じた期間、設定される電流値で容量を充放電することにより前記制御電圧を生成する第１電流源と、与えられるデジタルデータに応じて前記第１電流源における電流値を設定する第１ＤＡコンバータとを有し、
前記調整部は、前記演算部における比較結果に基づいて、前記第１ＤＡコンバータに与える前記デジタルデータを変更する
請求項２に記載のキャリブレーション装置。
【請求項４】
前記信号重畳部は、前記ＰＬＬ回路の実動作時に、前記電圧制御発振器が出力する発振信号について規定されるジッタ振幅許容値より小さい振幅の前記キャリブレーション信号を、前記ループフィルタを介して前記制御電圧に重畳する
請求項１に記載のキャリブレーション装置。
【請求項５】
前記演算部が算出する強度の比が前記所定の値となった場合における、前記チャージポンプに設定した前記デジタルデータを、前記カットオフ周波数に対応付けて格納するメモリを更に備える
請求項３に記載のキャリブレーション装置。
【請求項６】
前記信号重畳部は、
前記チャージポンプが出力する電流に、前記キャリブレーション信号に応じた電流を重畳する第２電流源と、
前記第２電流源における電流値を、前記キャリブレーション信号に応じて制御する第２ＤＡコンバータと
を有し、
前記調整部は、前記第１電流源における電流値を所定の比率で変更した場合に、前記第２電流源における電流値を前記所定の比率で変更する
請求項３に記載のキャリブレーション装置。
【請求項７】
ＰＬＬ回路に対して、予め定められたループ帯域を設定するキャリブレーション装置であって、
前記ＰＬＬ回路の電圧制御発振器に入力される制御電圧に、前記ループ帯域のカットオフ周波数の周波数成分を含むキャリブレーション信号を、前記制御電圧を出力するループフィルタを介して重畳する信号重畳部と、
前記電圧制御発振器が出力する発振信号の前記カットオフ周波数の周波数成分を測定する測定部と、
前記キャリブレーション信号の前記カットオフ周波数成分の強度と、前記測定部が測定した周波数成分の強度とを比較する演算部と、
前記演算部における比較結果に基づいて、前記ＰＬＬ回路に設けられたループフィルタのゲインを調整する調整部と
を備えるキャリブレーション装置。
【請求項８】
ＰＬＬ回路に対して、予め定められたループ帯域を設定するキャリブレーション装置であって、
前記ＰＬＬ回路の電圧制御発振器に入力される制御電圧に、前記ループ帯域のカットオフ周波数と周波数が略等しいキャリブレーション信号を、前記制御電圧を出力するループフィルタを介して重畳する信号重畳部と、
前記ループフィルタが通過させた信号の、前記カットオフ周波数の成分の振幅を測定する測定部と、
前記キャリブレーション信号の振幅、及び前記測定部が測定した信号の振幅を比較する演算部と、
前記演算部における比較結果に基づいて、前記ＰＬＬ回路に設けられたチャージポンプのゲインを調整する調整部と
を備えるキャリブレーション装置。
【請求項９】
ＰＬＬ回路に対して、予め定められたループ帯域を設定するキャリブレーション装置であって、
前記ＰＬＬ回路の電圧制御発振器に入力される制御電圧に、前記ループ帯域のカットオフ周波数と周波数が略等しいキャリブレーション信号を、前記制御電圧を出力するループフィルタを介して重畳する信号重畳部と、
前記ループフィルタが通過させた信号の、前記カットオフ周波数の成分の振幅を測定する測定部と、
前記キャリブレーション信号の振幅、及び前記測定部が測定した信号の振幅を比較する演算部と、
前記演算部における比較結果に基づいて、前記ループフィルタのゲインを調整する調整部と
を備えるキャリブレーション装置。
【請求項１０】
被試験デバイスを試験する試験装置であって、
前記被試験デバイスに入力すべき試験信号のパターンを生成するパターン発生部と、
前記パターン発生部が出力するパターンと、与えられるタイミング信号とに基づいて、前記試験信号を生成する波形成形部と、
前記タイミング信号を生成し、前記波形成形部に入力するタイミング発生部と、
前記被試験デバイスが出力する出力信号に基づいて、前記被試験デバイスの良否を判定する判定部と
を備え、
前記タイミング発生部は、
前記タイミング信号を生成するＰＬＬ回路と、
前記ＰＬＬ回路に対して、予め定められたループ帯域を設定するキャリブレーション装置と
を有し、
前記キャリブレーション装置が、請求項１から８のいずれかに記載した前記キャリブレーション装置である試験装置。
【請求項１１】
ＰＬＬ回路に対して、予め定められたループ帯域を設定するキャリブレーション方法であって、
前記ＰＬＬ回路の電圧制御発振器に入力される制御電圧に、前記ループ帯域のカットオフ周波数の周波数成分を含むキャリブレーション信号を、前記制御電圧を出力するループフィルタを介して重畳する信号重畳段階と、
前記電圧制御発振器が出力する発振信号の前記カットオフ周波数の周波数成分を測定する測定段階と、
前記キャリブレーション信号の前記カットオフ周波数成分の強度と、前記測定段階において測定した周波数成分の強度とを比較する演算段階と、
前記演算段階における比較結果に基づいて、前記ＰＬＬ回路に設けられたチャージポンプのゲインを調整する調整段階と
を備えるキャリブレーション方法。
【請求項１２】
ＰＬＬ回路に対して、予め定められたループ帯域を設定するキャリブレーション方法であって、
前記ＰＬＬ回路の電圧制御発振器に入力される制御電圧に、前記ループ帯域のカットオフ周波数の周波数成分を含むキャリブレーション信号を、前記制御電圧を出力するループフィルタを介して重畳する信号重畳段階と、
前記電圧制御発振器が出力する発振信号の前記カットオフ周波数の周波数成分を測定する測定段階と、
前記キャリブレーション信号の前記カットオフ周波数成分の強度と、前記測定段階において測定した周波数成分の強度とを比較する演算段階と、
前記演算段階における比較結果に基づいて、前記ＰＬＬ回路に設けられたループフィルタのゲインを調整する調整段階と
を備えるキャリブレーション方法。
【請求項１３】
ＰＬＬ回路に対して、予め定められたループ帯域を設定するキャリブレーション方法であって、
前記ＰＬＬ回路の電圧制御発振器に入力される制御電圧に、前記ループ帯域のカットオフ周波数と周波数が略等しいキャリブレーション信号を、前記制御電圧を出力するループフィルタを介して重畳する信号重畳段階と、
前記ループフィルタが通過させた信号の、前記カットオフ周波数の成分の振幅を測定する測定段階と、
前記キャリブレーション信号の振幅、及び前記測定段階において測定した信号の振幅を比較する演算段階と、
前記演算段階における比較結果に基づいて、前記ＰＬＬ回路に設けられたチャージポンプのゲインを調整する調整段階と
を備えるキャリブレーション方法。
【請求項１４】
ＰＬＬ回路に対して、予め定められたループ帯域を設定するキャリブレーション方法であって、
前記ＰＬＬ回路の電圧制御発振器に入力される制御電圧に、前記ループ帯域のカットオフ周波数と周波数が略等しいキャリブレーション信号を、前記制御電圧を出力するループフィルタを介して重畳する信号重畳段階と、
前記ループフィルタが通過させた信号の、前記カットオフ周波数の成分の振幅を測定する測定段階と、
前記キャリブレーション信号の振幅、及び前記測定段階において測定した信号の振幅を比較する演算段階と、
前記演算段階における比較結果に基づいて、前記ループフィルタのゲインを調整する調整段階と
を備えるキャリブレーション方法。
【請求項１５】
ＰＬＬ回路のループ帯域を測定する帯域測定装置であって、
前記ＰＬＬ回路の電圧制御発振器に入力される制御電圧に、周波数を順次変化させたキャリブレーション信号を、前記制御電圧を出力するループフィルタを介して重畳する信号重畳部と、
前記電圧制御発振器が出力する発振信号のスペクトラムを測定する測定部と、
前記発振信号のスペクトラムが、所定の強度となる周波数を、前記ループ帯域として算出する演算部と
を備える帯域測定装置。
【請求項１６】
ＰＬＬ回路のループ帯域を測定する帯域測定装置であって、
前記ＰＬＬ回路の電圧制御発振器に入力される制御電圧に、周波数を順次変化させたキャリブレーション信号を、前記制御電圧を出力するループフィルタを介して重畳する信号重畳部と、
前記ループフィルタが通過させた信号のスペクトラムを測定する測定部と、
前記測定部が測定したスペクトラムが、所定の強度となる周波数を、前記ループ帯域として算出する演算部と
を備える帯域測定装置。
【請求項１７】
ＰＬＬ回路のループ帯域を測定する帯域測定方法であって、
前記ＰＬＬ回路の電圧制御発振器に入力される制御電圧に、周波数を順次変化させたキャリブレーション信号を、前記制御電圧を出力するループフィルタを介して重畳する信号重畳段階と、
前記電圧制御発振器が出力する発振信号のスペクトラムを測定する測定段階と、
前記発振信号のスペクトラムが、所定の強度となる周波数を、前記ループ帯域として算出する演算段階と
を備える帯域測定方法。
【請求項１８】
ＰＬＬ回路のループ帯域を測定する帯域測定方法であって、
前記ＰＬＬ回路の電圧制御発振器に入力される制御電圧に、周波数を順次変化させたキャリブレーション信号を、前記制御電圧を出力するループフィルタを介して重畳する信号重畳段階と、
前記ループフィルタが通過させた信号のスペクトラムを測定する測定段階と、
前記測定段階において測定したスペクトラムが、所定の強度となる周波数を、前記ループ帯域として算出する演算段階と
を備える帯域測定方法。
【発明の詳細な説明】
【技術分野】
【０００１】
本発明は、ＰＬＬ回路をキャリブレーションするキャリブレーション装置及び方法、キャリブレーション装置を備える試験装置、並びにＰＬＬ回路のループ帯域を測定する帯域測定装置及び方法に関する。特に本発明は、ＰＬＬ回路に所定のループ帯域を設定するキャリブレーション装置及び方法に関する。
【背景技術】
【０００２】
一般に、ＰＬＬ回路のループ帯域は、チャージポンプ、ループフィルタ、分周器、及び電圧制御発振器の各特性により定まる。従来、ＰＬＬ回路のループ帯域を設定する場合、設計値等から予め定められた設定テーブルに基づいて、ＰＬＬ回路の各素子の特性を設定していた。関連する特許文献等は、現在認識していないので、その記載を省略する。
【発明の開示】
【発明が解決しようとする課題】
【０００３】
しかし、従来のキャリブレーション方法では、例えばＶＣＯの感度が出力信号の周波数毎に大きく変動する場合には、目的のループ帯域とならない場合があった。また、ループ帯域が外的要因により変化した場合にも、目的のループ帯域とならない場合があった。
【０００４】
また、半導体回路等を試験する試験装置がＰＬＬ回路を備える場合、ＰＬＬ回路を精度よくキャリブレーションすることができず、精度のよい試験を行うことができなかった。
【０００５】
このため、本発明は上記の課題を解決するキャリブレーション装置及び方法、試験装置、並びに帯域測定装置及び方法を提供することを目的とする。この目的は、請求の範囲における独立項に記載の特徴の組み合わせにより達成される。また従属項は本発明の更なる有利な具体例を規定する。
【課題を解決するための手段】
【０００６】
上記課題を解決するために、本発明の第１形態においては、ＰＬＬ回路に対して、予め定められたループ帯域を設定するキャリブレーション装置であって、ＰＬＬ回路の電圧制御発振器に入力される制御電圧に、ループ帯域のカットオフ周波数の周波数成分を含むキャリブレーション信号を、制御電圧を出力するループフィルタを介して重畳する信号重畳部と、電圧制御発振器が出力する発振信号のカットオフ周波数の周波数成分を測定する測定部と、キャリブレーション信号のカットオフ周波数成分の強度と、測定部が測定した周波数成分の強度とを比較する演算部と、演算部における比較結果に基づいて、ＰＬＬ回路に設けられたチャージポンプのゲインを調整する調整部とを備えるキャリブレーション装置を提供する。
【０００７】
演算部は、キャリブレーション信号のカットオフ周波数成分と、測定部が測定した周波数成分との強度の比を算出し、調整部は、強度の比が所定の値となるように、チャージポンプのゲインを調整してよい。
【０００８】
ＰＬＬ回路に設けられたチャージポンプは、ＰＬＬ回路に設けられる位相比較器の出力に応じた期間、設定される電流値で容量を充放電することにより制御電圧を生成する第１電流源と、与えられるデジタルデータに応じて第１電流源における電流値を設定する第１ＤＡコンバータとを有し、調整部は、演算部における比較結果に基づいて、第１ＤＡコンバータに与えるデジタルデータを変更してよい。
【０００９】
信号重畳部は、ＰＬＬ回路の実動作時に、電圧制御発振器が出力する発振信号について規定されるジッタ振幅許容値より小さい振幅のキャリブレーション信号を、ループフィルタを介して制御電圧に重畳してよい。キャリブレーション装置は、演算部が算出する強度の比が所定の値となった場合における、チャージポンプに設定したデジタルデータを、カットオフ周波数に対応付けて格納するメモリを更に備えてよい。
【００１０】
信号重畳部は、チャージポンプが出力する電流に、キャリブレーション信号に応じた電流を重畳する第２電流源と、第２電流源における電流値を、キャリブレーション信号に応じて制御する第２ＤＡコンバータとを有し、調整部は、第１電流源における電流値を所定の比率で変更した場合に、第２電流源における電流値を所定の比率で変更してよい。
【００１１】
本発明の第２の形態においては、ＰＬＬ回路に対して、予め定められたループ帯域を設定するキャリブレーション装置であって、ＰＬＬ回路の電圧制御発振器に入力される制御電圧に、ループ帯域のカットオフ周波数の周波数成分を含むキャリブレーション信号を、制御電圧を出力するループフィルタを介して重畳する信号重畳部と、電圧制御発振器が出力する発振信号のカットオフ周波数の周波数成分を測定する測定部と、キャリブレーション信号のカットオフ周波数成分の強度と、測定部が測定した周波数成分の強度とを比較する演算部と、演算部における比較結果に基づいて、ＰＬＬ回路に設けられたループフィルタのゲインを調整する調整部とを備えるキャリブレーション装置を提供する。
【００１２】
本発明の第３の形態においては、ＰＬＬ回路に対して、予め定められたループ帯域を設定するキャリブレーション装置であって、ＰＬＬ回路の電圧制御発振器に入力される制御電圧に、ループ帯域のカットオフ周波数と周波数が略等しいキャリブレーション信号を、制御電圧を出力するループフィルタを介して重畳する信号重畳部と、ループフィルタが通過させた信号の、カットオフ周波数の成分の振幅を測定する測定部と、キャリブレーション信号の振幅、及び測定部が測定した信号の振幅を比較する演算部と、演算部における比較結果に基づいて、ＰＬＬ回路に設けられたチャージポンプのゲインを調整する調整部とを備えるキャリブレーション装置を提供する。
【００１３】
本発明の第４の形態においては、ＰＬＬ回路に対して、予め定められたループ帯域を設定するキャリブレーション装置であって、ＰＬＬ回路の電圧制御発振器に入力される制御電圧に、ループ帯域のカットオフ周波数と周波数が略等しいキャリブレーション信号を、制御電圧を出力するループフィルタを介して重畳する信号重畳部と、ループフィルタが通過させた信号の、カットオフ周波数の成分の振幅を測定する測定部と、キャリブレーション信号の振幅、及び測定部が測定した信号の振幅を比較する演算部と、演算部における比較結果に基づいて、ループフィルタのゲインを調整する調整部とを備えるキャリブレーション装置を提供する。
【００１４】
本発明の第５の形態においては、被試験デバイスを試験する試験装置であって、被試験デバイスに入力すべき試験信号のパターンを生成するパターン発生部と、パターン発生部が出力するパターンと、与えられるタイミング信号とに基づいて、試験信号を生成する波形成形部と、タイミング信号を生成し、波形成形部に入力するタイミング発生部と、被試験デバイスが出力する出力信号に基づいて、被試験デバイスの良否を判定する判定部とを備え、タイミング発生部は、タイミング信号を生成するＰＬＬ回路と、ＰＬＬ回路に対して、予め定められたループ帯域を設定するキャリブレーション装置とを有し、キャリブレーション装置が、上述した第１から第４のいずれかの形態である試験装置を提供する。
【００１５】
本発明の第６の形態においては、ＰＬＬ回路に対して、予め定められたループ帯域を設定するキャリブレーション方法であって、ＰＬＬ回路の電圧制御発振器に入力される制御電圧に、ループ帯域のカットオフ周波数の周波数成分を含むキャリブレーション信号を、制御電圧を出力するループフィルタを介して重畳する信号重畳段階と、電圧制御発振器が出力する発振信号の前記カットオフ周波数の周波数成分を測定する測定段階と、キャリブレーション信号のカットオフ周波数成分の強度と、測定段階において測定した周波数成分の強度とを比較する演算段階と、演算段階における比較結果に基づいて、ＰＬＬ回路に設けられたチャージポンプのゲインを調整する調整段階とを備えるキャリブレーション方法を提供する。
【００１６】
本発明の第７の形態においては、ＰＬＬ回路に対して、予め定められたループ帯域を設定するキャリブレーション方法であって、ＰＬＬ回路の電圧制御発振器に入力される制御電圧に、ループ帯域のカットオフ周波数の周波数成分を含むキャリブレーション信号を、制御電圧を出力するループフィルタを介して重畳する信号重畳段階と、電圧制御発振器が出力する発振信号のカットオフ周波数の周波数成分を測定する測定段階と、キャリブレーション信号のカットオフ周波数成分の強度と、測定段階において測定した周波数成分の強度とを比較する演算段階と、演算段階における比較結果に基づいて、ＰＬＬ回路に設けられたループフィルタのゲインを調整する調整段階とを備えるキャリブレーション方法を提供する。
【００１７】
本発明の第８の形態においては、ＰＬＬ回路に対して、予め定められたループ帯域を設定するキャリブレーション方法であって、ＰＬＬ回路の電圧制御発振器に入力される制御電圧に、ループ帯域のカットオフ周波数と周波数が略等しいキャリブレーション信号を、制御電圧を出力するループフィルタを介して重畳する信号重畳段階と、ループフィルタが通過させた信号の、カットオフ周波数の成分の振幅を測定する測定段階と、キャリブレーション信号の振幅、及び測定段階において測定した信号の振幅を比較する演算段階と、演算段階における比較結果に基づいて、ＰＬＬ回路に設けられたチャージポンプのゲインを調整する調整段階とを備えるキャリブレーション方法を提供する。
【００１８】
本発明の第９の形態においては、ＰＬＬ回路に対して、予め定められたループ帯域を設定するキャリブレーション方法であって、ＰＬＬ回路の電圧制御発振器に入力される制御電圧に、ループ帯域のカットオフ周波数と周波数が略等しいキャリブレーション信号を、制御電圧を出力するループフィルタを介して重畳する信号重畳段階と、ループフィルタが通過させた信号の、カットオフ周波数の成分の振幅を測定する測定段階と、キャリブレーション信号の振幅、及び測定段階において測定した信号の振幅を比較する演算段階と、演算段階における比較結果に基づいて、ループフィルタのゲインを調整する調整段階とを備えるキャリブレーション方法を提供する。
【００１９】
本発明の第１０の形態においては、ＰＬＬ回路のループ帯域を測定する帯域測定装置であって、ＰＬＬ回路の電圧制御発振器に入力される制御電圧に、周波数を順次変化させたキャリブレーション信号を、制御電圧を出力するループフィルタを介して重畳する信号重畳部と、電圧制御発振器が出力する発振信号のスペクトラムを測定する測定部と、発振信号のスペクトラムが、所定の強度となる周波数を、ループ帯域として算出する演算部とを備える帯域測定装置を提供する。
【００２０】
本発明の第１１の形態においては、ＰＬＬ回路のループ帯域を測定する帯域測定装置であって、ＰＬＬ回路の電圧制御発振器に入力される制御電圧に、周波数を順次変化させたキャリブレーション信号を、制御電圧を出力するループフィルタを介して重畳する信号重畳部と、ループフィルタが通過させた信号のスペクトラムを測定する測定部と、測定部が測定したスペクトラムが、所定の強度となる周波数を、ループ帯域として算出する演算部とを備える帯域測定装置を提供する。
【００２１】
本発明の第１２の形態においては、ＰＬＬ回路のループ帯域を測定する帯域測定方法であって、ＰＬＬ回路の電圧制御発振器に入力される制御電圧に、周波数を順次変化させたキャリブレーション信号を、制御電圧を出力するループフィルタを介して重畳する信号重畳段階と、電圧制御発振器が出力する発振信号のスペクトラムを測定する測定段階と、発振信号のスペクトラムが、所定の強度となる周波数を、ループ帯域として算出する演算段階とを備える帯域測定方法を提供する。
【００２２】
本発明の第１３の形態においては、ＰＬＬ回路のループ帯域を測定する帯域測定方法であって、ＰＬＬ回路の電圧制御発振器に入力される制御電圧に、周波数を順次変化させたキャリブレーション信号を、制御電圧を出力するループフィルタを介して重畳する信号重畳段階と、ループフィルタが通過させた信号のスペクトラムを測定する測定段階と、測定段階において測定したスペクトラムが、所定の強度となる周波数を、ループ帯域として算出する演算段階とを備える帯域測定方法を提供する。
【００２３】
なお、上記の発明の概要は、本発明の必要な特徴の全てを列挙したものではなく、これらの特徴群のサブコンビネーションもまた、発明となりうる。
【発明を実施するための最良の形態】
【００２４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２５】
図１は、本発明の実施形態に係るキャリブレーション装置１００の構成の一例を示す図である。キャリブレーション装置１００は、ＰＬＬ回路３００に対して予め定められたループ帯域を設定する。また本例においては、ＰＬＬ回路３００として、位相比較器３１０、チャージポンプ３２０、ループフィルタ３３０、電圧制御発振器３４０、及び分周器３５０を備える回路を用いて説明する。但し、キャリブレーション装置１００がキャリブレーションするＰＬＬ回路３００は、当該構成を有するものに限られない。
【００２６】
まず、ＰＬＬ回路３００の概要を説明する。電圧制御発振器３４０は、与えられる制御電圧に応じた周波数の発振信号を生成する。分周器３５０は、発振信号を所定の分周比で分周した分周信号を生成する。位相比較器３１０は、与えられる基準信号と、分周信号との位相差を検出する。チャージポンプ３２０は、位相比較器３１０が検出した位相差に応じたレベルの制御電圧を生成する。例えばチャージポンプ３２０は、当該位相差に応じた期間、所定の電流で所定の容量を充放電することにより、当該制御電圧を生成する。ループフィルタ３３０は、制御電圧の所定の周波数成分を通過させ、電圧制御発振器３４０に供給する。このような構成により、ＰＬＬ回路３００は、基準信号に同期した発振信号を生成する。
【００２７】
また、電圧制御発振器３４０に与えられる制御電圧に、オフセット電圧を重畳することにより、発振信号の位相を制御することができる。例えば、図１に示すように、チャージポンプ３２０における充放電電流にオフセット電流を重畳することにより、制御電圧にオフセット電圧を重畳することができる。
【００２８】
キャリブレーション装置１００は、信号重畳部１０、測定部２０、演算部３０、メモリ４０、及び調整部５０を備える。信号重畳部１０は、電圧制御発振器３４０に入力される制御電圧に、ループ帯域のカットオフ周波数の周波数成分を含むキャリブレーション信号を重畳する。ここで、信号重畳部１０は、チャージポンプ３２０の充放電電流に、キャリブレーション信号に応じた電流を重畳することにより、電圧制御発振器３４０に入力される制御電圧にキャリブレーション信号を重畳してよい。また信号重畳部１０は、キャリブレーション信号に応じた電圧を、制御電圧に直接重畳してもよい。また、本例における信号重畳部１０は、ループフィルタ３３０を介してキャリブレーション信号を制御電圧に重畳する。即ち、信号重畳部１０は、ループフィルタ３３０の入力にキャリブレーション信号を重畳したが、他の例における信号重畳部１０は、ループフィルタ３３０の出力にキャリブレーション信号を重畳してもよい。
【００２９】
信号重畳部１０は、ダイレクトデジタルシンセサイザ１６、第２ＤＡコンバータ１２、及び第２電流源１４を有する。ダイレクトデジタルシンセサイザ１６は、予め格納したデータに基づいて、所望の周波数のデジタル信号を生成する回路である。本例におけるダイレクトデジタルシンセサイザ１６は、ＰＬＬ回路３００が有するべきループ帯域のカットオフ周波数の周波数成分を含むデジタル信号を生成する。
【００３０】
例えば、ダイレクトデジタルシンセサイザ１６は、単一の周波数成分を有する信号のデータを格納し、与えられるクロックに応じて当該データを順次出力する回路である。ここで、クロックに応じて出力するデータのデータ間隔を制御することにより、所望の周波数成分のキャリブレーション信号を出力する。例えば、アドレス番号１、２、３、・・・に格納したデータを順次出力する場合と、アドレス番号１、３、５、・・・に格納したデータを順次出力する場合とでは、周波数が２倍異なる信号を生成することができる。また、ダイレクトデジタルシンセサイザ１６は、複数の周波数成分を有する信号のデータを格納してよい。本例においてダイレクトデジタルシンセサイザ１６は、単一の周波数成分のサイン波のデータを格納する。
【００３１】
第２ＤＡコンバータ１２は、ダイレクトデジタルシンセサイザ１６が出力するデジタルデータを、アナログ信号に変換する。また第２ＤＡコンバータ１２は、当該アナログ信号のレベルに基づいて、第２電流源１４が生成する電流を制御する。このような構成により、信号重畳部１０は、所定のループ帯域のカットオフ周波数の周波数成分を含むキャリブレーション信号を、制御電圧に重畳する。また、信号重畳部１０は、発振信号の位相をシフトすべくＰＬＬ回路３００に設けられている電流源及びＤＡコンバータを、本例における第２電流源１４及び第２ＤＡコンバータ１２として用いてもよい。
【００３２】
制御電圧にキャリブレーション信号が重畳された場合、電圧制御発振器３４０が出力する発振信号には、当該キャリブレーション信号に応じたジッタが生じる。測定部２０は、電圧制御発振器３４０が出力する発振信号のカットオフ周波数の周波数成分を測定する。このとき、電圧制御発振器３４０が出力する発振信号の信号成分の周波数は、カットオフ周波数から十分離れていることが好ましい。これにより、キャリブレーション信号に応じたジッタ成分の、当該カットオフ周波数の周波数成分を測定することができる。測定部２０は、例えばタイムインターバルアナライザ、スペクトラムアナライザ等の測定装置であってよい。
【００３３】
演算部３０は、信号重畳部１０が生成したキャリブレーション信号における、上述したカットオフ周波数成分の強度と、測定部２０が測定した当該カットオフ周波数成分の強度とを比較する。信号重畳部１０は、カットオフ周波数成分における強度が予め定められた強度のキャリブレーション信号を生成してよい。当該強度は、演算部３０に予め通知されてよい。また演算部３０は、キャリブレーション信号のカットオフ周波数成分と、測定部２０が測定した周波数成分との強度の比を算出してよい。当該強度の比は、ループ帯域のカットオフ周波数における、ＰＬＬ回路３００のループゲインに対応する。即ち、ＰＬＬ回路３００のループ帯域が精度よく設定されていれば、カットオフ周波数におけるループゲインは、電力で１／２、信号振幅で１／（２＾（１／２））となる。
【００３４】
調整部５０は、演算部３０における比較結果に基づいて、ＰＬＬ回路３００に設けられたチャージポンプ３２０のゲインを調整する。例えば調整部５０は、演算部３０が算出した強度の比が所定の値（例えば、１／（２＾（１／２））となるように、チャージポンプ３２０のゲインを調整してよい。
【００３５】
また、ＰＬＬ回路３００が有するべきループ帯域のカットオフ周波数が、所定の周波数より大きい、又は小さければよい場合には、調整部５０は、演算部３０が算出した強度の比が当該所定の値より大きく、又は小さくなるように、チャージポンプ３２０のゲインを調整してよい。
【００３６】
また、調整部５０は、チャージポンプ３２０のゲインを調整することに代えて、ループフィルタ３３０におけるゲインを調整してもよい。また調整部５０は、チャージポンプ３２０及びループフィルタ３３０の双方のゲインを調整してもよい。以上のような構成及び動作により、ＰＬＬ回路３００のループ帯域のカットオフ周波数を所定の周波数に精度よく調整することができる。
【００３７】
また、メモリ４０は、従来のキャリブレーション方法と同様に、ＰＬＬ回路３００が有するべきそれぞれのループ帯域に対して、チャージポンプ３２０又はループフィルタ３３０に設定すべき設定値を格納してよい。当該設定値は、ＰＬＬ回路３００の各素子の設計値から求めることができる。調整部５０は、メモリ４０が格納した設定値を、チャージポンプ３２０又はループフィルタ３３０に設定してよい。この場合、キャリブレーション装置１００は、従来と同様のキャリブレーションを行うことができる。
【００３８】
またメモリ４０は、演算部３０が算出する強度の比が、上述した所定の値となった場合における、チャージポンプ３２０及びループフィルタ３３０に設定した設定値に対応するデジタルデータを、ＰＬＬ回路３００に設定したカットオフ周波数に対応付けて格納してよい。これにより、以前に設定したループ帯域と同一のループ帯域をＰＬＬ回路３００に設定する場合に、容易に設定を行うことができる。
【００３９】
また、キャリブレーション装置１００は、ＰＬＬ回路３００の実動作前に当該キャリブレーションを行ってよく、ＰＬＬ回路３００の実動作中に当該キャリブレーションを行ってもよい。ＰＬＬ回路３００の実動作中に当該キャリブレーションを行う場合、信号重畳部１０は、電圧制御発振器３４０が出力する発振信号について規定されるジッタ振幅許容値より小さい振幅のキャリブレーション信号を制御電圧に重畳することが好ましい。当該ジッタ振幅許容値は、ＰＬＬ回路３００の仕様等に応じて、使用者からキャリブレーション装置１００に予め与えられる値であってよい。ＰＬＬ回路３００の実動作中にキャリブレーションを行うことができるので、外的要因等により、ＰＬＬ回路３００の実動作中にループ帯域が変動した場合であっても、ループ帯域を所定の帯域に維持することができる。
【００４０】
また、キャリブレーション装置１００は、ＰＬＬ回路３００のループ帯域を測定する帯域測定装置としても機能することができる。この場合、信号重畳部１０は、ＰＬＬ回路３００の電圧制御発振器３４０に入力される制御電圧に、周波数を順次変化させたキャリブレーション信号を順次重畳する。
【００４１】
測定部２０は、電圧制御発振器３４０が出力する信号のスペクトラムを順次測定する。演算部３０は、測定部２０が測定した発振信号のスペクトラムに基づいて、ＰＬＬ回路３００のループ帯域を算出する。例えば演算部３０は、測定部２０が測定するスペクトラムのうち、キャリブレーション信号に対応する成分が、所定の強度（例えば、キャリブレーション信号の強度の１／（２＾（１／２）））となったときの、キャリブレーション信号の周波数を、当該ループ帯域のカットオフ周波数として算出してよい。測定部２０が測定するスペクトラムのうち、キャリブレーション信号に対応する成分は、信号重畳部１０が順次生成するキャリブレーション信号の周波数に応じて順次変化する。このため、測定部２０が測定するスペクトラムのうち、発振信号の成分と、キャリブレーション信号の成分とは容易に分離することができる。
【００４２】
図２は、キャリブレーション装置１００の動作の一例を示す図である。図２（ａ）は、キャリブレーション装置１００がＰＬＬ回路３００に設定すべきループ帯域を示し、図２（ｂ）は、キャリブレーション装置１００がＰＬＬ回路３００に入力するキャリブレーション信号の一例を示す。
【００４３】
図２（ａ）に示すように、ＰＬＬ回路３００のループ帯域は、ゲインが所定の値（例えば−３ｄＢ）となる周波数（カットオフ周波数）により規定される。キャリブレーション装置１００は、当該カットオフ周波数が所定の周波数となるように、ＰＬＬ回路３００を設定する。
【００４４】
キャリブレーション装置１００は、設定すべきカットオフ周波数の周波数成分を有するキャリブレーション信号を、電圧制御発振器３４０の入力に重畳する。そして、当該キャリブレーション信号を重畳した状態で、ＰＬＬ回路３００が定常状態となった場合における、電圧制御発振器３４０の出力を測定する。このとき、カットオフ周波数における、キャリブレーション信号の強度ＳＣＡＬに対する、電圧制御発振器３４０の出力の強度ＳＯＳＣのゲインを測定する。そして、当該ゲインが所定のゲイン（−３ｄＢ）となるように、チャージポンプ３２０又はループフィルタ３３０の設定を変更する。例えば、チャージポンプ３２０又はループフィルタ３３０の設定を順次変更して、当該ゲインが所定のゲインとなる設定を検出してよい。
【００４５】
図３は、チャージポンプ３２０の構成の一例を示す図である。本例において調整部５０は、チャージポンプ３２０の設定を調整することにより、ＰＬＬ回路３００のループ帯域を所定の帯域に設定する。
【００４６】
チャージポンプ３２０は、トランジスタ３２２、トランジスタ３２４、第１ＤＡコンバータ３２６、及び第１電流源３２８を有する。トランジスタ３２２のゲート端子には、位相比較器３１０の反転出力が入力される。またトランジスタ３２４のゲート端子には、位相比較器３１０の非反転出力が入力される。例えば位相比較器３１０は、基準信号と発振信号との位相差に応じた期間、Ｈ論理を示す信号を非反転出力として出力してよい。また、位相比較器３１０は、非反転出力の論理を反転した反転出力を出力してよい。
【００４７】
トランジスタ３２４のコレクタ端子は、ループフィルタ３３０に接続される。また、第１電流源３２８は、トランジスタ３２２及びトランジスタ３２４のエミッタ端子と接続され、第１ＤＡコンバータ３２６により設定される電流を、オン状態となったトランジスタに供給する。つまり、トランジスタ３２４には、基準信号と発振信号との位相差に応じた期間、所定のコレクタ電流が流れる。トランジスタ３２４のコレクタ電流によって所定の容量を充放電することにより、基準信号と発振信号との位相差に応じたレベルの制御電圧を生成する。
【００４８】
本例におけるチャージポンプ３２０は、第１電流源３２８における電流値を調整することにより、チャージポンプ３２０のゲインを制御することができる。即ち、第１ＤＡコンバータ３２６に与えるデジタルデータを変更することにより、チャージポンプ３２０のゲインを制御することができる。本例における調整部５０は、演算部３０における比較結果に基づいて、第１ＤＡコンバータ３２６に与えるデジタルデータを変更する。
【００４９】
また、信号重畳部１０の第２電流源１４は、トランジスタ３２４のコレクタ端子とループフィルタ３３０との間の配線に接続されてよい。これにより、電圧制御発振器３４０に入力される制御電圧に所定のキャリブレーション信号を重畳する。
【００５０】
調整部５０は、第１電流源３２８における電流値を所定の比率で変更した場合に、第２電流源１４における電流値を当該所定の比率で変更することが好ましい。例えば、第１ＤＡコンバータ３２６に設定するデジタル値を所定の比率で変更した場合、第２ＤＡコンバータ１２の入力値に対する出力レベルのゲインを、当該所定の比率で変更してよい。このような制御により、より精度よく測定を行うことができる。また、チャージポンプ３２０のゲインは、第１ＤＡコンバータ３２６に与えるデジタル値により制御することができるので、ＰＬＬ回路３００のループ帯域を容易に設定することができる。
【００５１】
図４は、キャリブレーション装置１００の構成の他の例を示す図である。本例におけるキャリブレーション装置１００は、図１に関連して説明したキャリブレーション装置１００の構成に対し、測定部２０が測定する対象が異なる。他の構成要素については、図１において同一の符号を付した構成要素と同一であってよい。
【００５２】
本例における測定部２０は、ループフィルタ３３０が通過させた信号を測定する。例えば測定部２０は、当該信号のカットオフ周波数の成分の振幅を測定してよい。この場合においても、測定部２０は、ＰＬＬ回路３００が定常状態となった場合における、当該信号のカットオフ周波数の成分の振幅を測定してよい。係る構成によっても、ＰＬＬ回路３００のループ帯域を、所望の帯域に設定することができる。またＰＬＬ回路３００のループ帯域のカットオフ周波数を測定することができる。
【００５３】
図５は、本発明の実施形態に係る試験装置２００の構成の一例を示す図である。試験装置２００は、半導体回路等の被試験デバイス４００を試験する装置であって、パターン発生部２１０、波形成形部２２０、タイミング発生部２３０、及び判定部２４０を備える。
【００５４】
パターン発生部２１０は、被試験デバイス４００を試験する試験パターンを生成する。例えばパターン発生部２１０は、被試験デバイス４００に入力すべき試験信号の論理パターンを含む試験パターンを生成する。
【００５５】
波形成形部２２０は、パターン発生部２１０から与えられる試験パターンに基づいて、試験信号を生成する。例えば波形成形部２２０は、試験パターンに含まれる、試験信号の論理パターンに応じた電圧を、与えられるタイミング信号に同期して出力することにより、試験信号を生成してよい。
【００５６】
タイミング発生器２３０は、波形成形部２２０に与えるタイミング信号を生成する。本例におけるタイミング発生器２３０は、ＰＬＬ回路３００と、キャリブレーション装置１００とを有する。ＰＬＬ回路３００及びキャリブレーション装置１００は、図１から図４において説明したＰＬＬ回路３００及びキャリブレーション装置１００と同一であってよい。ＰＬＬ回路３００は、所定の位相及び周期のタイミング信号を生成する。またキャリブレーション装置１００は、ＰＬＬ回路３００のループ帯域を、所定のループ帯域に設定する。キャリブレーション装置１００は、被試験デバイス４００の試験中に、ＰＬＬ回路３００のキャリブレーションを行ってよい。また、キャリブレーション装置１００は、被試験デバイス４００を交換する毎に、ＰＬＬ回路３００のキャリブレーションを行ってもよく、また所定の期間毎にＰＬＬ回路３００のキャリブレーションを行ってもよい。
【００５７】
判定部２４０は、試験信号に応じて被試験デバイス４００が出力する出力信号に基づいて、被試験デバイス４００の良否を判定する。例えば判定部２４０は、当該出力信号の論理パターンと、パターン発生部２１０から与えられる期待値パターンとを比較することにより、被試験デバイス４００の良否を判定してよい。この場合、判定部２４０は、タイミング発生部２３０から与えられるストローブ信号に応じて、出力信号の論理値を検出してよい。
【００５８】
本例における試験装置２００によれば、精度のよいタイミング信号を生成することができるので、被試験デバイス４００の良否を精度よく判定することができる。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【産業上の利用可能性】
【００６０】
以上から明らかなように、本発明によれば、ＰＬＬ回路のループ帯域を精度よく設定することができる。また、被試験デバイスを精度よく試験することができる。
【図面の簡単な説明】
【００６１】
【図１】本発明の実施形態に係るキャリブレーション装置１００の構成の一例を示す図である。
【図２】キャリブレーション装置１００の動作の一例を示す図である。図２（ａ）は、キャリブレーション装置１００がＰＬＬ回路３００に設定すべきループ帯域を示し、図２（ｂ）は、キャリブレーション装置１００がＰＬＬ回路３００に入力するキャリブレーション信号の一例を示す。
【図３】チャージポンプ３２０の構成の一例を示す図である。
【図４】キャリブレーション装置１００の構成の他の例を示す図である。
【図５】本発明の実施形態に係る試験装置２００の構成の一例を示す図である。
【符号の説明】
【００６２】
１０・・・信号重畳部、１２・・・第２ＤＡコンバータ、１４・・・第２電流源、１６・・・ダイレクトデジタルシンセサイザ、２０・・・測定部、３０・・・演算部、４０・・・メモリ、５０・・・調整部、１００・・・キャリブレーション装置、２００・・・試験装置、２１０・・・パターン発生部、２２０・・・波形成形部、２３０・・・タイミング発生部、２４０・・・判定部、３００・・・ＰＬＬ回路、３１０・・・位相比較器、３２０・・・チャージポンプ、３２２、３２４・・・トランジスタ、３２６・・・第１ＤＡコンバータ、３２８・・・第１電流源、３３０・・・ループフィルタ、３４０・・・電圧制御発振器、３５０・・・分周器、４００・・・被試験デバイス
【図１】
2008028765.tif 000003
【図２】
2008028765.tif 000004
【図３】
2008028765.tif 000005
【図４】
2008028765.tif 000006
【図５】
2008028765.tif 000007